(57)【要約】露光パターンによって露光するために、液体の浸漬媒体（２４）にウェハ（１２）を浸漬する浸漬リソグラフィシステム（１０）を監視する方法を提供する。この方法は、浸漬媒体内における外来物体の存在を検出し、露光パターンでウェハを露光するのに、浸漬媒体が適切な状況にあるかどうかを判定する。また、この方法とともに、浸漬リソグラフィシステム（１０）のための監視・制御システム（２６）を提供する。
2007502539.tif 000002
【特許請求の範囲】
【請求項１】
浸漬リソグラフィシステム（１０）を監視する方法であって、
浸漬媒体（２４）中で露光されるウェハ（１２）を浸漬する工程；
露光パターンが前記浸漬媒体内を通過する通過部にレーザビームを指向させ、この通過部内にレーザビームを通過させる工程、及び、
所定量よりも多くのレーザビームが散乱したと判定すると、外来物体が前記通過部内に存在し、前記ウェハに露光パターンを露光するのに適切ではない状況であることを示す工程、
を備える方法。
【請求項２】
前記レーザビームの散乱が所定量以下であると判定した場合に、前記ウェハに露光パターンを露光する工程をさらに備える、請求項１記載の方法。
【請求項３】
前記レーザビームの散乱量の判定を、散乱光の強度、散乱光の散乱位置、及び、これらの組み合わせ、のうちのいずれかを分析することによって実行する、請求項１または２記載の方法。
【請求項４】
前記レーザビームの散乱量の判定を、検出器アセンブリに入射するレーザビームの強度、検出器アセンブリに入射するレーザビームの位置、及び、これらの組み合わせのいずれかから得られる情報を分析することによって実行する、請求項１記載の方法。
【請求項５】
前記通過部の全体にわたって前記外来物体の存在を監視する、請求項１ないし４のいずれか一項記載の方法。
【請求項６】
前記外来物体の存在を監視するために複数のレーザビームを用いる、請求項５記載の方法。
【請求項７】
前記外来物体の存在を監視するために、少なくとも１つのレーザビームで前記通過部の全体を走査する、請求項５記載の方法。
【請求項８】
前記浸漬媒体が前記露光パターンで前記ウェハを露光するのに不適切な状況である場合に、前記ウェハの露光を遅延させるように前記浸漬リソグラフィシステムを制御する工程をさらに備える、請求項１ないし７のいずれか一項記載の方法。
【請求項９】
前記浸漬リソグラフィシステムは、露光されるウェハ（１２）を収容するとともに、浸漬媒体（２４）内にウェハを浸漬するチャンバ（３８）と、露光パターン（２２）をウェハに指向させるとともに、浸漬媒体を通過させるイメージングサブシステム（２０）とを備える浸漬リソグラフィシステム（１０）の監視・制御システムであって、
露光パターンが通過する部分の浸漬媒体を通過するようにレーザビーム（４６）を指向するレーザ装置（４２）と、前記レーザビームが前記通過部を通過した後に、このレーザビームを受光するとともに、前記浸漬媒体内における外来物体の存在あるいは不存在を示す情報を含む信号を出力する検出器アセンブリ（４４）とを有する浸漬媒体監視サブシステム（３４）、及び、
前記浸漬媒体が前記ウェハに前記露光パターンを露光するのに適切な状況であるか否かを判定するために、前記信号を受信するとともに分析する制御部（３０）、
を備える、浸漬リソグラフィシステム（１０）の監視・制御システム。
【請求項１０】
前記制御部は、前記レーザビームの散乱が所定の閾値以下であると判定した場合に、前記ウェハに前記露光パターンを露光するように前記浸漬リソグラフィシステムを制御する、請求項９記載の監視・制御システム。
【発明の詳細な説明】
【技術分野】
【０００１】
本発明は、概して、集積回路の製造に関し、より具体的には、浸漬リソグラフィによるウェハの撮像(imaging)の監視及び／または制御するための方法及び装置に関する。
【背景技術】
【０００２】
背景
ウェハ上への様々な集積回路（ＩＣ）構造の形成は、リソグラフィのプロセスに依存することが多く、フォトリソグラフィに関係する場合もある。例えば、パターンは、ＰＲ層上に所望のパターンを撮像する構成を有するマスク（またはレチクルという）に光エネルギを透過させることにより、フォトレジスト層から形成される。この結果、そのパターンはＰＲ層に転写される。ＰＲ層が十分に露光された領域において、現像が終了すると、ＰＲ材は、可溶性になり、下層（例えば、半導体層、金属層あるいは金属含有層、誘電体層等）が選択的に曝される。照射光の光エネルギが閾量に達していない部分のＰＲ層は、除去されることなく下層を保護するように機能する。そして、暴露された下層の部分は、（例えば、ケミカルウェットエッチング、または、ドライリアクティブイオンエッチング（ＲＩＥ）を用いることによって）エッチングされ、ＰＲ層から形成されたパターンが下層に転写される。これに代えて、ＰＲ層は、下層の保護された部分へのドーパント注入から保護するために、あるいは、下層の保護された部分への反応を遅延させるために、用いられる。この後に、ＰＲ層の残りの部分は除去される。
【発明の開示】
【発明が解決しようとする課題】
【０００３】
ＩＣ製造界に浸透しているトレンドは、様々な構造が形成される集積密度を増大させることである。この結果、このトレンドに対応するニーズとして、リソグラフィシステムの解像度の可能性を増大させることがある。従来の光学的なリソグラフィに代わる次世代リソグラフィ技術として、浸漬リソグラフィ(immersion lithography)が知られている。浸漬リソグラフィでは、リソグラフィシステムによって撮像されるウェハは、溶液(liquid medium)中に配設され、パターン化された光は、この溶液中に入射する。浸漬媒体は、従来のドライリソグラフィ撮像システムの最終レンズとウェハとの間に存在したエアギャップに代わって存在する。
【０００４】
しかしながら、浸漬リソグラフィを実現する試みには数々の難題があった。例えば、浸漬媒体の反射率の軽微なばらつきが露光パターンのウェハへの投影に悪影響を与える可能性がある。
【０００５】
従って、改良された浸漬リソグラフィシステム及び浸漬リソグラフィシステムを用いた撮像の制御方法の技術に対するニーズが存在する。
【０００６】
発明の概要
本発明の一局面によれば、本発明は、浸漬リソグラフィシステムの監視方法に関する。この方法は、露光されるウェハを浸漬媒体溶液内に浸漬する工程；露光パターンが通過する通過部の浸漬媒体にレーザビームを指向させる工程；及び、所定の閾値より大きいレーザビームの部分が散乱した場合に、通過部に外来物体があり、ウェハに露光パターンを露光するために不適切な状況に浸漬媒体があると判定する工程、を備える。
【０００７】
この発明の他の局面によれば、本発明は、浸漬リソグラフィシステムのための監視・制御システムに関する。浸漬リソグラフィシステムは、例えば、露光されるウェハを収容するとともに、このウェハを浸漬媒体内に浸漬するためのチャンバと、露光パターンをウェハに投影するとともに、浸漬媒体内を通過させる撮像サブシステムとを備える。監視・制御システムは、浸漬媒体監視システム、及び、制御部を備える。この浸漬媒体監視システムは、露光パターンが通過する部分の浸漬媒体にレーザビームを指向させるレーザ装置と、通過部分から出射したレーザビームを受光するとともに、外来物体の存在または不存在を示す信号を出力するための検出器アセンブリとを有する。また、制御部は、検出器アセンブリから受信した信号を分析し、ウェハに露光パターンを露光するのに浸漬媒体が適切な状態にあるか否かを判定する。
【発明を実施するための最良の形態】
【０００８】
本発明の特徴は、以下の詳細な説明及び添付の図面によって明らかになる。
【０００９】
発明の開示
以下の詳細な説明において、本発明の実施形態の異同にかかわらず、対応する構成要素には同一の符号を付す。
本発明の内容を明確かつ正確に図示するために、図面は必ずしも比例的に縮尺されず、また、いくつかの特徴は幾分簡略化して示されている。
【００１０】
この詳細な説明は、集積回路（ＩＣ）が上面に形成されたウェハを製造する例示的な形態として構成されている。例示的なＩＣは、数千個あるいは数百万個のトランジスタ、ひとつのフラッシュメモリ、あるいは、その他特定の回路から作製される一般的な用途のマイクロプロセッサを含む。しかしながら、この発明の属する技術分野における当業者であれば、ここで説明する方法及びデバイスは、例えば、マイクロマシン、ディスクドライブのヘッド、遺伝子チップ、マイクロ電子機械システム（ＭＥＭＳ:micro electro-mechanical systems）、及び、その他のもののように、リソグラフィを用いて製造されるあらゆる製品の製造に適用することができるものである。
【００１１】
ここで説明する装置及び方法は、浸漬リソグラフィのためのキーパラメータのリアルタイムでの検出を提供する。すなわち、外来物体（単数または複数）の存在または不存在を監視することにより、ウェハを露光するのに適した状態であるかどうかを判定することができる。外来物体としては、例えば、浸漬媒体２４内に浮遊している物体を含む。例示的な外来物体としては、不純物、フォトレジストのスプレー片、及び、その他同等のものを含むが、外来物体は、これらに限定されるものではない。外来物体は、泡が付着した粒子でもよい。外来物体は、ごく小さなものであっても浸漬リソグラフィプロセスの妨げとなる。従って、ここで説明する検出装置は、サイズが５０ｎｍから数ミクロンの外来物体を浸漬媒体内で検出するように構成される。
【００１２】
図１は、例示的なＩＣ処理構成を示すブロック図である。この構成は、ウェハ１２あるいはその一部の領域にパターンを撮像（image：写像）するために用いられる浸漬リソグラフィシステム１０を備える。このシステム１０は、例えば、ステップ・アンド・リピート露光システム、あるいは、ステップ・アンド・スキャン露光システムを備えるが、これらのシステムに限定されるものではない。このシステム１０は、マスク１８（このマスクのことをレチクルと称する場合もある）に光エネルギ１６を供給する光源１４を備える。光エネルギ１６は、例えば、紫外線（ＤＵＶ）の波長帯域の中央付近の波長（例えば、約２４８ｎｍあるいは１９３ｎｍ）、または、真空紫外線（ＶＷ）波長（例えば、約１５７ｎｍ）を有する。
【００１３】
マスク１８は、光エネルギ１６を選択的に遮断し、マスク１８によって規定される光エネルギパターン１６’がウェハ１２に投影されるようにする。続いて、撮像サブシステム２０は、ステッパアセンブリあるいはスキャナアセンブリで構成され、マスク１８によって伝達された光エネルギパターン１６’をウェハ１２上の一連の所望の位置に照射する。撮像サブシステム２０は、撮像光エネルギパターン（あるいは露光光エネルギパターン）２２の形式で光エネルギ１６’をウェハ１２に縮尺及び照射するために用いられる、一連のレンズ及び／または反射板を備える。
【００１４】
撮像パターン（あるいは露光パターン）２２は、撮像サブシステム２０によって、相対的に高い反射率（例えば、１より大きい反射率）を有する浸漬溶液または浸漬媒体２４内を伝達される。浸漬媒体２４は、液体で構成することができる。一例として、清浄化された消イオン水を、波長１９３ｎｍの光源１４（例えば、アルゴンフッ素（ＡｒＦ）レーザ）とともに用いることができる。他の例としては、ポリフルオロエーテル(polyfluoroether)を、波長１５７ｎｍの光源１４とともに用いることができる。
【００１５】
図２について、付加的に、例示的な構成のＩＣプロセッシング装置１０とともに用いられる浸漬媒体監視・制御アセンブリ２のブロック構成を示す。当業者であれば理解できるように、浸漬媒体２４内における外来物体２８の存在は、イメージングサブシステム２０によって出力されるイメージパターン２２に好ましくない影響をもたらすとともに、及び、ウェハ１２上に不具合をもたらす。例えば、一つあるいはそれ以上の外来物体２８の存在は、ウェハ１２上に形成される集積回路内に欠陥を生じさせる。
【００１６】
理論に拘束される意図ではなく、外来物体２８の存在理由は多岐にわたる。例えば、浸漬媒体２４内の乱流は、泡を形成し、及び／または、浸漬媒体２４中に泡を沈ませる。乱流の原因の一つは、ウェア１２を搭載してイメージングサブシステム２０に対して移動するステージ（図示せず）の移動である。例えば、ウェハ１２は、露光された後に約３０ｍｍの移動により新たな位置へ移動し、第２回目の露光のために停止する、などのように移動が行われる。ウェハの移動速度は、毎秒約２５０ｍｍから毎秒約５００ｍｍに設定することができる。この移動は、外来物体を発生させる浸漬媒体２４の乱流またはその他の特性の変化を生じさせる可能性がある。これに加えて、浸漬媒体２４は、意図的に変動（例えば、ウェハ１２の上における流動パターン）の下に置かれ、また、液圧に曝される。露光している間は、フォトレジスト内で様々な気体が生成される場合がある。これらの気体は、浸漬溶液に溶解し、これが泡の形成につながる。外来物体２８は、ウェハ上に運ばれ、さらに、浸漬媒体２４内に侵入する可能性がある。すなわち、外来物体２８は、ウェハ１２からはぐれて浸漬媒体２４内を浮遊することになる。
【００１７】
従って、外来物体２８の存在判定するために浸漬媒体２４を監視し、外来物体２８の存在を消去するように浸漬媒体２４を制御するべきである。従って、監視・制御アセンブリ２６は、ＩＣ処理構成１０及び浸漬媒体制御サブシステム３２を制御するプログラムを有するコンピュータで構成される制御部３０を備える。制御部３０は、入力信号または浸漬媒体監視サブシステム３４から出力される信号を受信する。
【００１８】
図示するように、撮像サブシステム２０は、出力レンズ３６、あるいは、その他の構成を有する最終光学部材を備える。
少なくとも、レンズ３６を含む撮像サブシステム２０の一部は、浸漬媒体２４及びウェハ１２を含むチャンバ３８内に入れるように構成される。レンズ３６は、浸漬媒体２４と密接的に接触しており、レンズ３６から出力される撮像パターン２２が浸漬媒体２４内を貫くように投影され、浸漬媒体２４内に配設または浸漬されるウェハ２４の少なくとも一部の上に投影される。
【００１９】
以下では、撮像パターン２２の露光領域（例えば、浸漬媒体２４の全体または一部であって、撮像パターン２２が通過する部分）内の浸漬媒体２４の部分を通過部４０と称する。一形態では、レンズ３６は、ウェハ１２の１ｍｍ上方に配設される。しかしながら、照射光波長、浸漬媒体２４、特定の処理構成１０、ウェハ１２の上に形成されるデバイス、処理に用いられる特定のフォトレジスト、及びその他の要因に応じてレンズ３６とウェハ１２の間の距離を変えてもよい。ある構成では、通過部は、幅約２５ｍｍ、及び、長さ約１０ｍｍである。これらのパラメータは、大幅に変更することが可能である。
【００２０】
監視サブシステム３４は、浸漬媒体２４、または、例えば、浸漬媒体２４の通過部４０のような浸漬媒体２４の一部、を監視するデバイスを備える。監視サブシステム３４は、例えば、レーザビーム源４２、及び、検出器アセンブリ４４を備える。検出器アセンブリ４４は、例えば、光逓倍管(photo multiplier tube)で構成される。一形態では、レーザ装置４２によって生成されるビームの直径は、数百ミクロンである。それゆえ、通過部４０の全体にわたって浸漬媒体２４を同時に監視するために、一つまたは複数のレーザ装置４２によって生成される複数のビームを用いることができる。必要に応じて、付加的な検出器アセンブリ４４が加えられる。図の簡略化のために、一本のビームに関する監視方法を示し、説明する。しかしながら、複数ビームシステムは、当業者にとって明らかであろう。これに代えて、一つあるいは複数のビームで通過部４０の全体をスキャンすることにより、通過部４０の全体にわたって浸漬媒体２４を検出することができる。
【００２１】
レーザ装置４２は、ウェハ１２の上に形成されるフォトレジストの活性化を避ける出力波長を生成するように選択されるべきである。例えば、波長は、約３００ｎｍまたはそれ以上（例えば、可視光線の範囲内）に設定されるべきであるが、このパラメータは、使用されるフォトレジストの特性によって変更可能である。一形態では、ヘリウムネオン（ＨｅＮｅ）レーザを用いる。
【００２２】
チャンバ３８は、エントランスウィンドウ４８及びイグジットウィンドウ５０を備える。このエントランスウィンドウ４８を介して、レーザ装置４２によって生成されたビーム４６がチャンバ３８に入ることができ、イグジットウィンドウ５０を介してビームがチャンバ３８から出ることができる。ウィンドウ４８、５０は、レーザ装置４２によって生成されるビーム４６の波長を透過可能であり、また、ビーム４６の透過を容易にする反射防止コーティングあるいはその他の機構を有する。
【００２３】
ビーム４６が外来物体２８に衝突しない場合は、ビーム４６は、実質的に、浸漬媒体２４を直接的に通過する。この結果、ビーム４６は、予想可能な位置、及び／または、予想可能な強度で検出器アッセンブリ４４に入射する。ビーム４６の位置、及び／または、強度を示す信号は、検出器アセンブリ４４によって精製され、出力される。検出器アセンブリ４４によって出力される信号は、制御部３０によって受信される。ある一つの形態では、制御部３０は、検出器アセンブリ４４から受信した信号を解析するように構成されている。制御部３０によって、ビーム４６が外来物体２８に衝突しなかったと判定した場合は、ウェア１２を露光するのに好ましい状況であると判定される。従って、制御部３０は、プログラムに従って、ウェハ１２を露光させるべく、制御指令をプロセッシングアレンジメント１０に伝送するようにする。
【００２４】
ビーム４６が外来物体２８に衝突する状況では、ビーム４６の大半は、直接的に浸漬媒体２４を通過し、検出器アセンブリ４４に入射する。しかしながら、検出器アセンブリ４４に入射するビームが微弱ビーム４６’になっている（すなわち、ビームの入射位置が予想位置とは異なっている、及び／または、ビームの強度が予想値より劣っている）場合がある。
【００２５】
また、外来物体２８の存在下では、ビーム４６の一部は散乱され、散乱光５２を形成する。検出器アセンブリ４４は、散乱光５２、及び／または、微弱ビーム４６’を検出することができるように構成されていてもよい。散乱光５２及び／または微弱ビーム４６’を検出した場合には、検出器アセンブリ４４は、ビーム４６を妨害した外来物体２８を示す情報を含む信号を生成するように構成されていてもよい。この情報は、散乱光５２及び／または微弱ビーム４６’の位置及び強度に関するデータを含んでもよい。
【００２６】
また、上述した検出器アセンブリ４４によって生成される信号は、この信号を受信するようにプログラムによって処理を行う制御部３０によって受信される。一例として、制御部３０が散乱光５２の強度がある閾値より低い（すなわち、この場合、外来物体が存在しない）かどうか、または、ある閾値より高い（すなわち、この場合、外来物体が存在する）かどうかを判定してもよい。他の形態では、外来物体２８の存在／不存在は、期待値に対する検出器アセンブリ４４へ入射するビーム４６または微弱ビーム４６’の値（すなわち、位置及び／または強度を表す値）に関する情報を比較することによって、外来物体２８の存在／不存在を判定するように構成してもよい。さらに他の形態では、散乱光５２及び／またはビーム４６（あるいは微弱ビーム４６’）の情報を組み合わせて外来物体２８の存在／不存在を判定してもよい。
【００２７】
制御部３０の処理は、少なくとも通過部４０内では、外来物体２８の識別に徹底するものである。浸漬媒体２４内の状況が、ウェハ１２の露光に対して適切でない場合には、ウェハ１２の露光を遅延させるように、制御部３０をプログラムしてもよい。
【００２８】
以上説明したように、通過部４０の複数の位置における一つあるいは複数の外来物体２８の存在を監視するために、複数のビームを用いることができる。これは通過部４０の一部についても適用可能である。これに代えて、通過部４０の複数の位置における一つあるいは複数の外来物体２８の存在を監視するために、一つあるいは複数のビームで通過部４０をスキャンしてもよい。こちらも通過部４０の一部についても適用可能である。これらの形態では、一つあるいは複数の検出器アセンブリ４４は、ひとつの複合信号または複数の信号を制御部３０に対して生成するように構成してもよい。
【００２９】
ある一つの形態では、検出器アセンブリによる光の測定値、または、外来物体２８の検出を行う監視サブシステム３４からの生データは、一つまたは複数の入力信号という形式で検出器アセンブリ４４から制御部３０に伝送されてもよい。制御部３０は、入力信号を処理し、通過部４０のどこかに外来物体２８が存在しないかを判定する。
【００３０】
外来物体２８が検出されない場合は、制御部３０は、システム１０に対して、ウェハ１２を露光させるための指令を伝送する。しかしながら、外来物体２８が検出された場合は、ウェハ１２を露光するのに適切ではない状況であると判定され、制御部３０は、プログラムに従い、ウェハの露光を延期する。後者（すなわち、外来物体２８が検出された）の場合は、制御部３０は、プログラムに従い一つあるいは複数の特定の工程を実行する。
例えば、外来物質２８が通過部４０から流出すると期待される所定の期間だけ単に待機するように、制御部３０をプログラムしてもよい。所定期間の後、浸漬媒体監視サブシステム３４は、外来物体２８の存在を再度判定するように制御される。他の例示的な形態では、構成処理を行うように制御部３０をプログラムしてもよい。例示的な構成処理は、例えば、浸漬媒体２４の流量を減少または増大させるための指令、浸漬媒体２４の圧力を上昇させる（すなわち、外来物体２８を押し出す、または、溶解させるための試み）、及び、その他同様の処理を浸漬媒体制御サブシステム３２に指令を送信する工程を備える。さらに他の例示的な形態では、ウェハ１２を撮像するのに好ましくない状況であることを作業者に警告するように制御部３０をプログラムしてもよい。浸漬媒体２４の繰り返しの測定において外来物質２８の存在が判明した場合は、作業者に警告を行う工程を取り消さずに残しておく(reserve)ように構成してもよい。さらに他の例示的な形態では、例えば、所定時間待機してから構成処理を行うように、前述の機能のうちの複数を実行するように制御部３０をプログラムしてもよい。
【００３１】
以上、本発明の特定の形態について詳細に説明したが、本発明は、これに限定されるものではなく、添付の特許請求の範囲の精神及び文言に含まれる、あらゆる改変、改良及び均等物を含むことを理解されたい。
【図面の簡単な説明】
【００３２】
【図１】例示的なＩＣ処理構成を示すブロック図。
【図２】例示的なＩＣ処理構成に用いられる、浸漬媒体の監視・制御アセンブリの構成を示すブロック図。
【図１】
2007502539.tif 000003
【図２】
2007502539.tif 000004
【国際調査報告】
2007502539.tif 000005
2007502539.tif 000006
2007502539.tif 000007